(57)【要約】【課題】一度に綴じること可能で、速やか且つ便利にファイリング作業を行うことが可能なルーズリーフノート紙用留め具を提供する。【解決手段】ルーズリーフノート紙２は、一側に一列に穴２１が開けられ、穴２１から端に向かって溝２２が形成され、溝２２の間隔はわずかである。ダブルコイル１は、硬い線材によって加工されたダブルのＣ型リング１１が連続するように長い棒状に形成されている。ダブルのＣ型リング１１の開口部１１１が、ルーズリーフノート紙２に形成された対応する穴２１の中に収まることにより、ルーズリーフノート紙２が一度に多数綴じられる。【選択図】  図３
0003160084.tif 000002
【実用新案登録請求の範囲】
【請求項１】
一側に一列に穴が開けられ、前記穴から前記一側の端に向かって溝が形成され、前記溝の間隔はわずかであるルーズリーフノート紙用留め具であって、
硬い線材によって加工されたダブルのＣ型リングが連続するように長い棒状に形成されたダブルコイルを備え、
前記ダブルのＣ型リングは、隣接する前記ダブルのＣ型リングの間隔が１インチであり、
前記ルーズリーフノート紙は、隣接する前記穴の間隔が１インチであり、
長い棒状に連続する前記ダブルのＣ型リングの開口部が、前記ルーズリーフノート紙に形成された対応する前記穴の中に収まることにより、前記ルーズリーフノート紙が一度に多数綴じられて装丁され、
前記ルーズリーフノート紙の前記一側に前記溝が形成されていることにより、前記ルーズリーフノート紙は、完全性を保ったまま取り出され、その後再び元の位置に戻され、
スピーディーで便利な装丁作業が行えることを特徴とするルーズリーフノート紙用留め具。
【考案の詳細な説明】
【技術分野】
【０００１】
本考案はルーズリーフノート紙用留め具に関する。
【背景技術】
【０００２】
従来、一般に使用されているルーズリーフノートＡは、図１に示すように、たいてい螺旋状の硬い線材によって製造されたコイルワイヤＢを貫通させて使用する。しかしながら、このタイプのルーズリーフノートＡを使用した際に必ずいくつかの問題に遭遇する。
例えば、ルーズリーフノート紙Ａ１に設けられた穴Ａ２は閉じられた形態である。このため、そのうちの一枚のルーズリーフノート紙Ａ１を取り出そうとすると、そのルーズリーフノート紙Ａ１の完全性が破壊される。つまり、ルーズリーフノート紙Ａ１の一側に一列に設けられた多数の穴Ａ２が、その紙の閉じられた穴Ａ２が無理やりに引っ張られることにより、紙の穴Ａ２のいくつかがコイルワイヤＢによって破壊されて破れ、若干の紙の切れ端Ａ３が残る場合がある。
また、ルーズリーフノート紙Ａ１の一側の穴Ａ２が破壊されたり、破れたりしたために、元の綴じてあった状態に再び戻すことができず、穴Ａ２の位置で切断した後、水糊等で貼り付けるしか方法がない。
【０００３】
上述の螺旋状のコイルワイヤＢをルーズリーフノートＡに貫通させて綴じる形態は実用性を有するとは言えないため、図２Ａに示すように、多数の円形リングＣをルーズリーフノート紙Ｄに設置する技術が生まれた。円形リングＣは、図２Ｂに示すように、左、右両側に、それぞれくぼんだ空間Ｃ１が形成されている。
【０００４】
ルーズリーフノート紙Ｄは、一側に一列の穴Ｄ１が設けられている。いずれの穴Ｄ１にも端に向かった一側に溝Ｄ２が形成されている。多数のルーズリーフノート紙Ｄを集めた後、穴Ｄ１に対応する多数の円形リングＣを一つ一つ溝Ｄ２を介して穴Ｄ１中に貫通させる（図２Ｃ参照）。この方式は、手作業によって多数の円形リングＣを逐一ルーズリーフノート紙Ｄに貫通させる方式であるため、一冊綴じ終わるのに時間を要し、作業の効率が悪い。また、力を入れて円形リングＣを引っ張ると外れるため、ページをめくる動作に影響を及ぼす。したがって、この技術も実用性の面で理想的であるとは言えない。
【考案の概要】
【考案が解決しようとする課題】
【０００５】
本考案の目的は、一度に綴じること可能で、速やか且つ便利にファイリング作業を行うことが可能なルーズリーフノート紙用留め具を提供することにある。
また、本考案のもう一つの目的は、ルーズリーフノート紙を損傷させることなく、完全な形で取り出せて、さらに再び元の位置に戻すことが可能なルーズリーフノート紙用留め具を提供することにある。
【課題を解決するための手段】
【０００６】
上記目的を達成するために、本考案のルーズリーフノート紙用留め具は、長く連結するダブルのＣ型リングに開口部を有する。これにより、ルーズリーフノート紙を一度に綴じることができる。また、対応する間隔の位置に設けられたルーズリーフノート紙の穴を利用して一度に多数綴じるため、速やか且つ便利にファイリング作業が行える。同時に、ルーズリーフノート紙を損傷させることなく、完全な形で取り出せて、さらに再び元の位置に戻すことができる。
【０００７】
さらに、本考案のルーズリーフノート紙用留め具は、長い棒状のダブルのコイルが硬い線材によって連続するダブルのＣ型リングに加工されており、いずれのダブルのＣ型リングもその間隔が１インチとなっている。
【０００８】
さらに、本考案のルーズリーフノート紙用留め具により留められるルーズリーフノート紙は、一側に間隔が１インチの穴が一列に並んで形成されている。
【０００９】
さらに、本考案のルーズリーフノート紙用留め具により留められるルーズリーフノート紙は、一側のいずれの穴も端に向かって溝が形成されており、溝の間隔はわずかである。ルーズリーフノート紙に溝が設けられていることにより、紙の完全性を破壊することなく取り出すことができる。
【００１０】
また、ルーズリーフノート紙に溝が設けられていることで、取り出された紙を再び元の位置に戻すことができる。
さらに、本考案のルーズリーフノート紙用留め具は、ルーズリーフノート紙の一側の穴が矩形である。
【００１１】
さらに、本考案のルーズリーフノート紙用留め具は、ルーズリーフノート紙の一側の穴が円形である。
さらに、本考案のルーズリーフノート紙用留め具は、ルーズリーフノート紙の一側の穴が半円形である。
【００１２】
（考案の効果）
本考案のルーズリーフノートの留め具は、長い棒状に連結するダブルのＣ型リングに開口部があることにより、対応する間隔の位置に設けられた多数のルーズリーフノート紙の穴を利用して一度に綴じることができる。このため、速やか且つ便利にファイリング作業が行えると同時に、ルーズリーフノート紙を損傷させることなく、完全な形で取り出せて、さらに再び元の位置に戻すことができる。
【図面の簡単な説明】
【００１３】
【図１】従来の技術を示す斜視図。
【図２Ａ】他の従来の技術を示す斜視図（一）。
【図２Ｂ】他の従来の技術を示す斜視図（二）。
【図２Ｃ】他の従来の技術を示す斜視図（三）。
【図３】本考案の技術を示す斜視図。
【図４】図３の部分拡大図。
【図５】本考案において綴じる際の状態を説明する説明図。
【図６】本考案における綴じた後の状態を説明する説明図。
【図７】本考案において紙を取り出し、元に戻す状態を説明する説明図。
【図８】本考案におけるルーズリーフ紙の穴の形態を示す模式図（一）。
【図９】本考案におけるルーズリーフ紙の穴の形態を示す模式図（二）。
【図１０】本考案におけるルーズリーフ紙の穴の形態を示す模式図（三）。
【考案を実施するための形態】
【００１４】
まず、図３及び図４を参照しながら、本考案のルーズリーフノート紙用留め具について説明する。本考案のルーズリーフノート紙用留め具は、硬い線材によって加工されたダブルのＣ型リング１１が連続するように形成されることで、長い棒状のダブルコイル１を構成する。このうち、いずれのダブルのＣ型リング１１の間隔も１インチを単位とし、いずれの１インチの長さにも一個のダブルのＣ型リング１１のみが設置される。これに対応して、ルーズリーフノート紙２の一側にも１インチごとの長さに１個の穴を有する形態として一列の穴２１を有し、各穴２１の端に向かった一側に溝２２が設置される。さらに、溝２２はわずかな間隔を有する。
【００１５】
連続するダブルのＣ型リング１１は、長い棒状のダブルコイル１が形成される。その後、綴じる際に、先ずダブルコイル１のいずれのダブルのＣ型リング１１の開口部１１１をやや押し開き（図５参照）、多数のダブルのＣ型リング１１を有するダブルコイル１が、多数のルーズリーフノート２の対応して開けられた穴２１中に、「一度に」挿入されて綴じられて、装丁される（図６参照）。このように、速やかに且つ便利に装丁作業が完了することで、綴じる作業の時間が節約されて、従来の技術における諸問題を解決する。
【００１６】
また、ルーズリーフノート紙２の一側の各穴２１の端に向かった一側には、溝２２が設けられている。溝２２の間隔はわずかであるため、ルーズリーフノート紙２が穴２１の完全性を破壊することなく、すなわち完全性を保ったまま、ダブルのＣ型リング１１が溝２２に沿って移動して、ルーズリーフノート紙２が一枚そのままスムーズに引き出せる（図７参照）。逆に、ルーズリーフノート紙２は、反対方向に溝２２からダブルのＣ型リング１１を通過して、ダブルのＣ型リング１１が再び穴２１の中に元通りに収まる（図７に示したとおり）。
【００１７】
ルーズリーフノート紙２は完全に取り出すことができると同時に、取り出す際に紙の穴２１を破壊することがない。また、すでに取り出した紙を元のように完全にルーズリーフノートの中に戻すこともできる。
ここで、ルーズリーフノート紙２の一側の穴２１は、各種の幾何形状に形成されてもよい。例えば、正方形（図３参照）、長方形（図８参照）の矩形、円形（図９参照）、半円形（図１０参照）等の形状の変化が可能である。
【符号の説明】
【００１８】
１        ・・・ダブルコイル
１１      ・・・ダブルのＣ型リング
１１１    ・・・開口部
２        ・・・ルーズリーフノート
２１      ・・・穴
２２      ・・・溝
Ａ        ・・・ルーズリーフノート
Ａ１      ・・・ルーズリーフノートの紙
Ａ２      ・・・穴
Ａ３      ・・・紙の切れ端
Ｂ        ・・・コイルワイヤ
Ｃ        ・・・円形リング
Ｃ１      ・・・くぼみ空間
Ｄ        ・・・ルーズリーフノート
Ｄ１      ・・・穴
Ｄ２      ・・・溝
【図１】
0003160084.tif 000003
【図２Ａ】
0003160084.tif 000004
【図２Ｂ】
0003160084.tif 000005
【図２Ｃ】
0003160084.tif 000006
【図３】
0003160084.tif 000007
【図４】
0003160084.tif 000008
【図５】
0003160084.tif 000009
【図６】
0003160084.tif 000010
【図７】
0003160084.tif 000011
【図８】
0003160084.tif 000012
【図９】
0003160084.tif 000013
【図１０】
0003160084.tif 000014